(57)【要約】ソース・ポイントから目的ポイントに送出されたＳＴＭ−ｎ／ＯＣ−ｎクリア・チャンネル信号の保護を可能とする、保護ダイヤグラムのためのＳＴＭ−ｎ／ＯＣ−ｎクリア・チャンネル接続コールの保護のための方法。この保護は、ソース・ポイントと目的ポイントの間のパスに沿った降下の克服を可能とする。これは、「リング」または「メッシュ」のような、異なったタイプのネットワーク構造で使用され得る。本方法は、サブネットワークの送出端におけるＳＴＭ−ｎ／ＯＣ−ｎ信号の複製、および、ワーク・サブネットワーク、および、保護サブ・ネットワークとして規定され得る２つの異なったルートに亘っての送出を呼び出す。保護ダイヤグラムの成功を確実にするために、ワーク・チャンネルおよび保護チャンネルは、異なったルートを辿る。受信端において、受信信号の品質、保護状態、および外部コマンド、によって、信号は、ワーク・パスまたは保護パスから選択される。
2004538714.tif 000002
【特許請求の範囲】
【請求項１】
サブ・ネットワーク内で一つの要素が、サブ・ネットワーク内の送信端および他の受信端を備える、当該サブ・ネットワークの２つのネットワーク要素（11，12）の間のＳＴＭ−Ｎ／ＯＣ-ｎ信号のクリア・チャンネル通信の保護のための方法であって、
前記サブ・ネットワークの送信端においてＳＴＭ-ｎ／ＯＣ-ｎ信号を複製し、
前記複製された信号を、ワーク（13）および保護（14）として規定された２つの異なったパスを経由して送信し、
前記サブ・ネットワークの前記受信端において、前記ワーク・パスまたは前記保護パスからの前記信号を選択する、
ステップを含む方法。
【請求項２】
前記受信端における前記信号が、以下の基準、
（1）前記２つのパスから受信された前記信号の品質、および、
（2）保護コマンドおよび外部コマンドの状態、
の少なくとも一つに基づいて、前記ワーク・パスまたは前記保護パスから選択される、
請求項１に記載の方法。
【請求項３】
前記受信された信号の、品質に関する前記データが、前記受信端で実行される、非妨害性の（unintrusive）監視によって得られる、請求項２に記載の方法。
【請求項４】
前記基準の少なくとも２つの中で階層がセットアップされ、そして、
一つより多いスイッチング基準の同時存在の場合には、前記選択が、最も高い優先度を持つ基準によって制御される、
請求項２または３に記載の方法。
【請求項５】
ＳＴＭ-ｎ／ＯＣ-ｎ信号の永続的な（permanent）送出のために保護パスが用いられる、以上のいずれかの請求項に記載の方法。
【請求項６】
もし保護が必要とされないならば、前記保護パスが、余分な（extra）トラフィックの送出のために用いられる、請求項１乃至４のいずれかに記載の方法。
【請求項７】
前記選択が、
前記ワークパスの故障のために前記保護パスが選択された後に、ワーク・パスが回復した時に、セレクタが、前記ワーク・パスからＳＴＭ-ｎ／ＯＣ-ｎ信号を選択する、というモードで作動する、
以上の請求項のいずれかに記載の方法。
【請求項８】
ワーク・チャンネルが再度選択される前に固定時間（fixed time）が必ず満了する、請求項７に記載の方法。
【請求項９】
２つのネットワーク要素（11，12）の間のＳＴＭ-Ｎ／ＯＣ-ｎ信号の通信の保護のためのクリア・チャンネル・サブ・ネットワークであって、
送信端における前記要素が、
送出されるべきＳＴＭ-ｎ／ＯＣ-ｎ信号を複製するためのスプリッタ、および、
前記複製された信号を、サブ・ネットワークで規定されたワーク（13）および保護（14）の中の２つの異なったパスを経由してルーティングするための手段、
を備えたことを特徴として、
サブ・ネットワーク内の一つの要素が送信端と他の受信端を構成したものであり、
前記サブ・ネットワークの前記受信端における前記要素が、
前記ワーク・パスまたは前記保護パスから前記信号を選択するためのセレクタ、
を備えるものである、
クリア・チャンネル・サブ・ネットワーク。
【請求項１０】
前記２つのパスから受信された前記信号の品質、および、保護状態、および、外部コマンド、の少なくとも一つに基づいて、前記セレクタが、前記ワーク・パスまたは前記保護パスから前記信号を選択する、
請求項９に記載のサブ・ネットワーク。
【請求項１１】
前記セレクタが、保護スイッチングの後に、ワーク・パスが復旧した時に、前記ワーク・パスからＳＴＭ-ｎ／ＯＣ-ｎを選択するための手段、を備える、
請求項９または１０に記載のサブ・ネットワーク。
【請求項１２】
（復旧まで待つ）固定時間が、前記ワーク・パスが再度使用される前に必ず満了する、
請求項１１に記載のサブ・ネットワーク。
【請求項１３】
前記セレクタが、受信された前記ＳＴＭ-ｎ／ＯＣ-ｎのワークの信号および保護信号の前記品質の非妨害的監視をするための監視手段、を備える、請求項１０に記載のサブ・ネットワーク。
【請求項１４】
前記セレクタが、以下の、
（1）保護スイッチングを回避する、および、
（2）前記セレクタに、前記２つのパスの特定の一つからの前記信号の選択を強いる、
の一つを行うために外部コマンドに応答するための手段を備える、
請求項９乃至１３のいずれかに記載のサブ・ネットワーク。
【請求項１５】
前記セレクタが、
前記セレクタが一つより多い基準の同時存在の場合に、最も高い優先度を持つ基準によって制御される、という基準の中での階層を設定するための階層化手段、
を備える、請求項９に記載のサブ・ネットワーク。
【請求項１６】
請求項９乃至１５のいずれかに記載のサブ・ネットワークを備える通信ネットワーク。
【発明の詳細な説明】
【技術分野】
【０００１】
本発明は、ＳＴＭ-Ｎ／ＯＣ-ｎクリア・チャンネル接続の保護のための方法および装置およびサブ・ネットワークに関連する。
【背景技術】
【０００２】
ＳＴＭ-ｎ／ＯＣ-ｎクリア・チャンネル相互接続は、ＳＴＭ-ｎ／ＯＣ-ｎ信号を、ＩＴＵ−Ｔ仕様Ｇ．783およびＧ．707（1995年11月）で規定される、ＳＴＭ-ｎ信号，ＲＳＯＨ（再製選択オーバーヘッド）バイト，およびＭＳＯＨ（多重選択オーバーヘッド），の場合に、または、ベルコアＧＲ-253によって規定される、選択およびライン・オーバーヘッドのＯＣ−ｎ信号の場合に、処理が無いかのように、相互接続するための、ネットワークまたはネットワーク装置の能力である。
【０００３】
ＶＣ−ｎ／ＳＴＳ-ｎ（クリア・チャンネルではない）接続だけを理解（realizing）する能力を持つ第３の要素ＮＥ  Ｂを通過する、２つのネットワーク要素（ＮＥ  Ａ  およびＮＥ  Ｃ）のＳＴＭ-ｎ／ＯＣ-ｎ信号との接続を想定すると、ＮＥ  Ｂは、受信したＳＴＭ-ｎ／ＯＣ-ｎ  Ａを終端（terminates）させ、ＮＥ  Ｃに向かって、同じＶＣ-ｎ／ＳＴＳ-ｎを伴い、しかし、異なるＲＳ／セクション  ＯＨ  および  ＭＳ／ライン  ＯＨを持って、新たな信号（ＳＴＭ-ｎ／ＯＣ-ｎ  Ｂ）を生成する。
【０００４】
再生成（regeneration）が存在しない場合でも、従来のＳＤＨ／ＳＯＮＥＴ節点を横切るＳＴＭ-ｎ信号に対して、グルーミング（grooming）および統合（consolidation）オペレーションが要求される。即ち、それにも関わらず、デジタル・クロス接続−ＤＸＣ、または、Add/Dropマルチプレキサ -ADM-、そして、ＲＳ／セクション・オーバーヘッドの終端、および、あり得るものとして、ＶＣ-ｎ／ＳＴＳ-ｎレベルでの相互接続をもたらすＭＳ／ライン・オーバーヘッドの終端、が実行される。
【０００５】
もし、クリアなチャンネル接続を提供可能なＮＥ  Ｂ（図２参照）に亘って、同じ接続が作られるならば、ＮＥ  Ａによって生成されたＳＴＭ-ｎ／ＯＣ-ｎ  Ａ信号は、何の修正も無しにＮＥ  Ｃに到達する。
【０００６】
更に、ＲＳ／セクション  ＯＨ、および、ＭＳ／ライン  ＯＨ、のバイトのいくつかが、エンド・ツー・エンドの、スタンダード（例えば、Ｋ１およびＫ２バイトは、自動保護に対するスイッチング・プロトコルを輸送でき得、Ｄｉバイトは、データ通信チャンネルを輸送でき得る）、または、プロプラエタリ（proprietary）データ（例えば、「媒体依存バイト」、「国内使用のためにリザーブされたバイト」、「スペア・バイト」、等）で規定されたデータの輸送、のために使用され得る。
【０００７】
再生成（regeneration）、グルーミング、または、統合のオペレーション、の必要が存在しないにも関わらず、ＲＳ／セクションおよびＭＳ／ライン・オーバーヘッド・バイトの処理は、これらのデータの未熟な（premature）終端（termination）を引き起こす場合がある。ＳＴＭ-ｎ／ＯＣ-ｎのクリア・チャンネル相互接続によって、このタイプのデータが、侵入的なプロセス（intrusive process）が必要とされない節点を通過することを可能とする。
【０００８】
しかし、このタイプのスイッチされた実体（entity）に対して、ソース・ポイントから目的地ポイントへのＳＴＭ-ｎ／ＯＣ-ｎの送出（transmission）を保護するための、または、更に、ＳＴＭ-ｎ／ＯＣ-ｎルートの、何らかのサブネットワーク接続を保護するための、一定の保護が必要とされるにも関わらず、現時点において、ＳＴＭ／ＯＣ-ｎクリア・チャンネル接続のための保護システムは全く提供されていない。
【発明の開示】
【発明が解決しようとする課題】
【０００９】
本発明の一般的な目的は、ＳＴＭ-ｎ／ＯＣ-ｎクリア・チャンネル接続を保護するための方法を利用可能とすることによって、上述の問題点を改善することである。
【００１０】
他の目的は、ネットワーク要素（element）およびサブ・ネットワークを、前記保護方法を適用することについて利用可能とすることである。
【課題を解決するための手段】
【００１１】
よって、本発明に従って、サブネットワーク内で一つの要素が、サブネットワーク内の送出端および他の受信端を備える、当該サブネットワークサブネットワークの、２つのネットワーク要素（11、12）の間の、ＳＴＭ−Ｎ／ＯＣ-ｎ信号のクリア・チャンネル通信の保護のための方法であって、サブネットワークの送出端においてＳＴＭ-ｎ／ＯＣ-ｎ信号を複製し、複製された信号を、ワーク（13）および保護（14）として規定された２つの異なったパスを通じて送出し、サブネットワークの受信端において、ワーク・パスまたは保護パスから信号を選択するステップを含む方法を提供することが求められる。
【００１２】
再度、本発明に従って、２つのネットワーク・要素（11、12）の中で、（Ａ）送出端の要素が、送出されるべきＳＴＭ-ｎ／ＯＣ-ｎ信号を複製するためのスプリッタと、複製された信号を、サブネットワークによって規定されたワーク（13）および保護（14）の中の２つの異なったパスを通じてルーティングするための手段を備えることを特徴とする、一つの要素が、サブ・ネットワーク内の送出端および他の受信端を構成し、（Ｂ）サブ・ネットワークの受信端における要素が、ワーク・パスまたは保護パスから信号を選択するためのセレクタを備える当該２つのネットワーク要素（11、12）の間のＳＴＭ−Ｎ/ＯＣ-ｎ信号の通信の保護を持つ、クリア・チャンネル・サブネットワークを実現することが求められた。
【発明を実施するための最良の形態】
【００１３】
本発明の革新的な原理、および、先行技術に比較したその利点、の説明を明確にするために、以下に、付属の図面の助けを借りた、限定目的ではない例としての、当該原理を適用した、可能な本発明の実施例が記載される。
【００１４】
文字を参照して、図１は、全体として、参照番号10によって規定された、ＳＴＭ−Ｎ／ＯＣ-ｎ信号の２つのネットワーク要素11、12（図１のＮＥ  Ａ  およびＮＥ  Ｂ）と接続するクリア・チャンネル・サブネットワークを示す。サブネットワークがクリア・チャンネル・タイプ（即ち、クリア・チャンネル接続を実現する能力を持つ複数のネットワーク要素を通じて接続が為される）なので、ＮＥ  Ａによって生成されたＳＴＭ-ｎ／ＯＣ-ｎ信号は、変更無しにＮＥ  Ｂに到達する。
【００１５】
本方法によって、本発明の保護ダイヤグラムは、サブネットワーク（ＮＥ  Ａ用祖）の送出端におけるＳＴＭ-ｎ／ＯＣ-ｎ信号の複製、および、規定されたワーク・サブネットワーク13および保護サブネットワーク14であり得る、２つの異なったパスでの送出、を要求する（calls for）。複製のために、送出ネットワーク要素ＮＥ  Ａは、当業者に即座に想定可能な、適切な既知の信号複製器15を装備される。
【００１６】
保護スキームの成功を確実にするために、ワークおよび保護チャンネルは、異なったルートを通る。
【００１７】
保護パスは、ＩＴＵ−Ｔ  Ｇ．841、改訂10/98、によって規定されるように、ＳＴＭ-ｎ／ＯＣ-ｎ信号（1+1保護）の永続的送出のために、または、保護事象（protection event）（1+1保護）の場合の余剰トラフィックの送出のために使用され得る。
【００１８】
サブネットワーク保護（要素ＮＥ  Ｂ）の受信端において、信号は、ワーク・パスまたは保護パスから選択される。選択は、受信された信号の品質（例えば、もし信号が無くなった、または、劣化されたならば、ＳＦまたはＳＤ），保護の状態（即ち、復帰まで待つ（wait to restore）時間の存在（下記参照）），及び／又は外部コマンド，によって決定される。
【００１９】
選択を為すために、ネットワーク要素ＢＥ  Ｂは、これもまた、当業者に既知であり、即座に想到可能な、適切なセレクタ16を備える。
【００２０】
通常の状態下で、信号は、ワーク・パス13（図1）から選択される。ワーク・パスの故障（妨害や受け入れられない劣化）の場合には、信号は、保護パスから選択される（図２）。
【００２１】
セレクタ16は、復旧する（restore）、または、復旧しない、モードで作動可能である。復旧する作動モードは、保護スイッチングの後に、ワーク・パスが復旧した時に、セレクタが、ワーク・パスからＳＴＭ-ｎ／ＯＣ-ｎを選択することを要求する。復旧する作動モードがが選択された時に、固定時間（復旧まで待つ）は、ワーク・チャンネルが再度使用される前に必ず満了せねばならない。復旧まで待つ時間は、装置でプログラム可能である。
【００２２】
品質情報は、ＳＴＭ-ｎ／ＯＣ-ｎネットワーク上のセレクタによって実行される、非妨害的（unintrusive）監視、および、受信された保護信号によって得られる。
【００２３】
上述のように、セレクタは、例えば、保護スチイング（保護ロック）を避けるため、または、セレクタが、２つのパスの一つまたは他のパスからの信号を選択することをを強いるために（「ワーカ（worker）への強制またはマニュアル・スイッチ」、および「保護への強制またはマニュアル・スイッチ」）、使用される外部コマンドに応答もする。
【００２４】
階層が、信号状態（ＳＦまたはＳＤ），外部コマンド，および保護状態（即ち、復旧するまで待つ時間の存在およびその通過），によって有利に適用される。
【００２５】
このやり方によって、もしより多いスイッチング基準が同時に存在するならば、セレクタは、状況、状態、または、最高の優先度を持つ外部コマンドによって制御される。
よって、設定された目的は、ＳＴＭ−Ｎ／ＯＣ-ｎクリア・チャンネル接続に対する有効な保護スキームを利用可能とすることによって実現された。
【００２６】
ソース・ポイントから、目的地ポイントに送出されたＳＴＭ-ｎ／ＯＣ-ｎクリア・チャンネル信号の保護のために提案された保護スキームは、いかなる、ソースおよび目的地ポイントの間のパスに沿った故障の克服をももたらす。更に、それは、異なったタイプのネットワーク構造（例えば、リングまたはメッシュ）で使用され得る。
【００２７】
信号は、オーバーヘッド・バイトによって輸送されたデータの何の修正も無しに相互接続されるので、説明された保護スキームは、それだけで終了（single-ended）であり、２つの保護端（protection ends）（ローカルおよびリモート）と保護状態を整列（align）するための通信プロトコル（ＡＰＳプロトコル）は不必要である。
【００２８】
本発明の革新的原理を適用する実施例の上述の説明は、添付の特許請求の範囲の排他的権利の視野内の、当該原理の、非限定的な例示の方法によって与えられた。
【図面の簡単な説明】
【００２９】
【図１】ノーマル、またはワーク状態における、本発明の保護方法を適用したサブネットワークのブロック図を示す。
【図２】保護状態における図１のサブネットワークを示す。
【国際公開パンフレット】
2004538714.tif 000003
2004538714.tif 000004
2004538714.tif 000005
2004538714.tif 000006
2004538714.tif 000007
2004538714.tif 000008
2004538714.tif 000009
2004538714.tif 000010
2004538714.tif 000011
2004538714.tif 000012
2004538714.tif 000013
2004538714.tif 000014
2004538714.tif 000015
2004538714.tif 000016
2004538714.tif 000017
2004538714.tif 000018
【国際公開パンフレット（コレクトバージョン）】
2004538714.tif 000019
2004538714.tif 000020
【国際調査報告】
2004538714.tif 000021
2004538714.tif 000022
2004538714.tif 000023